(57)【要約】数値表示方式において、表示処理部（８）を有し、該表示処理部は記憶手段により記憶された数値を読み出して表示させる操作が実行されたときに、数値表示器（１）の表示可能桁数に対し表示すべき数値の桁数が大きければ、数値を予め設定された桁数に分割し、表示すべき数値のどの部分が表示されているかがわかるようにした上で、その一部を数値表示器に出力する。また、操作キー（３，４）が押し下げられるごとに、前記表示処理部は、予め設定された分割桁数ごとに表示位置を制御するのに必要な表示部変数（Ｐ）を再設定すると共に、該表示部変数に基づき、数値表示器へ出力する数値の桁部分を切り替えるように構成されている。これにより、操作感を損なうことなく、少ない表示可能桁数で数値を直感的にわかりやすい形式で表示する数値表示方式を提供することができる。
2004095405.tif 000002
【特許請求の範囲】
【請求項１】
記憶手段により記憶させた数値を読み出して表示の制御を行う表示処理部と、前記表示処理部からの情報を表示する数値表示器と、前記数値表示器の表示を手動操作により切り替える操作キーと、を備えた数値表示装置において、
前記表示処理部は、記憶手段により記憶させた数値を読み出して表示させる操作を実行した場合に、前記数値表示器の表示可能桁数に対して、表示すべき数値の桁数が大きければ、該表示すべき数値のどの部分が表示されているかがわかるように、数値を予め設定された桁数に分割し、その一部を表示するように制御する構成にしたものであることを特徴とする数値表示方式。
【請求項２】
前記操作キーは少なくとも左キーまたは右キーの１つのキーで構成されており、前記表示処理部は、数値を予め設定された分割桁数ごとに表示位置を制御するのに必要な表示部変数を設定すると共に、操作キーを押し下げするごとに該表示部変数に基づき、数値の桁部分を切り替えるようにした手段を有することを特徴とする請求項１記載の数値表示方式。
【請求項３】
前記表示処理部は、前記左キーを押したときに前記表示部変数をインクリメントする手段と、前記右キーを押したときに前記表示部変数をデクリメントする手段と、前記表示部変数の値によって表示対象の部分を切り替えて表示する手段と、を備えた請求項１または２に記載の数値表示方式。
【請求項４】
前記操作キーは一方の左キーのみで構成されており、前記表示処理部は、前記左キーを押したときに前記表示部変数を予め設定された最大値に至るまでインクリメントし、最大値の次に０へと変化させる手段と、前記表示部変数の値によって表示対象の部分を切り替えて表示する手段、とを備えた請求項１または２に記載の数値表示方式。
【請求項５】
前記操作キーが別の上キーおよび下キーを備えており、前記表示処理部は、前記表示器で分割桁数ごとに表示される数値の一部を編集するために必要な編集桁変数を設定してあり、前記上キーを押したときに編集桁をインクリメントする手段と、前記下キーを押したときに編集桁をデクリメントする手段と、前記左キーを押したときに編集桁変数をインクリメントする手段と、前記右キーを押したときに編集桁変数をデクリメントする手段と、前記編集桁変数の値によって表示部変数の値を決定する手段と、前記表示部変数の値によって表示対象の部分を切り替えて表示すると共に該当の編集桁を明示する手段と、を備えた請求項１または２に記載の数値表示方式。
【請求項６】
前記操作キーは一方の左キーと、別の上キーおよび下キーを備えており、前記表示処理部は、前記表示器で分割桁数ごとに表示される数値の一部を編集するために必要な編集桁変数を設定してあり、前記上キーを押したときに編集桁をインクリメントする手段と、前記下キーを押したときに編集桁をデクリメントする手段と、前記左キーを押したときに前記編集桁変数を最上位桁に至るまでインクリメントし、最上位桁の次は０へと変化させる手段と、編集桁変数の値によって表示部変数の値を決定する手段と、前記表示部変数の値によって表示対象の部分を切り替えて表示すると共に該当の編集桁を明示する手段と、を備えた請求項１または２に記載の数値表示方式。
【発明の詳細な説明】
【技術分野】  本発明は、操作感を著しく損なうことがなく、表示器が表示することのできる桁数を超える数値を表示することができる数値表示方式に関する。
【背景技術】  従来、数値表示器が表示することのできる桁数を超える数値を表示する場合、たとえば１０進数表示を１６進数表示に切り換える等の方法にて表示するしかなかった（例えば、特開平０５−３４２１６３号公報を参照）。
ところが従来技術では、たとえば１６進数では操作者に直感的に理解しにくいという問題があり、著しく操作感を損なうという問題があった。
本発明は上記課題を解決するためになされたものであり、操作感を損なうことなく、少ない表示器桁数で数値を直感的にわかりやすい形式で表示することができる数値表示方式を提供することを目的とする。
【発明の開示】
上記課題を解決するために、請求項１の発明は、記憶手段により記憶させた数値を読み出して表示の制御を行う表示処理部と、前記表示処理部からの情報を表示する数値表示器と、前記数値表示器の表示を手動操作により切り替える操作キーと、を備えた数値表示装置において、前記表示処理部は、記憶手段により記憶させた数値を読み出して表示させる操作を実行した場合に、前記数値表示器の表示可能桁数に対して、表示すべき数値の桁数が大きければ、該表示すべき数値のどの部分が表示されているかがわかるように、数値を予め設定された桁数に分割し、その一部を表示するように制御する構成にしたものである。
請求項２の発明は、請求項１記載の数値表示方式において、前記操作キーは少なくとも左キーまたは右キーの１つのキーで構成されており、前記表示処理部は、数値を予め設定された分割桁数ごとに表示位置を制御するのに必要な表示部変数を設定すると共に、操作キーを押し下げするごとに該表示部変数に基づき、数値の桁部分を切り替えるようにした手段を有するものである。
請求項３の発明は、請求項１または２に記載の数値表示方式において、前記表示処理部は、前記左キーを押したときに前記表示部変数をインクリメントする手段と、前記右キーを押したときに前記表示部変数をデクリメントする手段と、前記表示部変数の値によって表示対象の部分を切り替えて表示する手段と、を備えたものである。
請求項４の発明は、請求項１または２に記載の数値表示方式において、前記操作キーは一方の左キーのみで構成されており、前記表示処理部は、前記左キーを押したときに前記表示部変数を予め設定された最大値に至るまでインクリメントし、最大値の次に０へと変化させる手段と、前記表示部変数の値によって表示対象の部分を切り替えて表示する手段、とを備えたものである。
請求項５の発明は、請求項１または２に記載の数値表示方式において、前記操作キーが別の上キーおよび下キーを備えており、前記表示処理部は、前記表示器で分割桁数ごとに表示される数値の一部を編集するために必要な編集桁変数を設定してあり、前記上キーを押したときに編集桁をインクリメントする手段と、前記下キーを押したときに編集桁をデクリメントする手段と、前記左キーを押したときに編集桁変数をインクリメントする手段と、前記右キーを押したときに編集桁変数をデクリメントする手段と、前記編集桁変数の値によって表示部変数の値を決定する手段と、前記表示部変数の値によって表示対象の部分を切り替えて表示すると共に該当の編集桁を明示する手段と、を備えたものである。
請求項６の発明は、請求項１または２に記載の数値表示方式において、前記操作キーは一方の左キーと、別の上キーおよび下キーを備えており、前記表示処理部は、前記表示器で分割桁数ごとに表示される数値の一部を編集するために必要な編集桁変数を設定してあり、前記上キーを押したときに編集桁をインクリメントする手段と、前記下キーを押したときに編集桁をデクリメントする手段と、前記左キーを押したときに前記編集桁変数を最上位桁に至るまでインクリメントし、最上位桁の次は０へと変化させる手段と、編集桁変数の値によって表示部変数の値を決定する手段と、前記表示部変数の値によって表示対象の部分を切り替えて表示すると共に該当の編集桁を明示する手段と、を備えたものである。
【図面の簡単な説明】  図１は本発明の第１実施例を示す数値表示装置の構成図、図２は表示処理のフローチャート、図３は数値表示器の表示例（下位４桁）、図４は数値表示器の表示例（中位４桁）、図５は数値表示器の表示例（上位２桁）、図６は本発明の第２実施例を示す数値表示装置の構成図、図７は表示処理のフローチャート、図８は本発明の第３実施例を示す数値表示装置の構成図、図９は表示編集処理のフローチャート、図１０は数値表示装置の表示例（下位４桁）、図１１は本発明の第４実施例を示す数値表示装置の構成図、図１２は表示編集処理のフローチャートである。
【発明を実施するための最良の形態】  本発明の実施例を図に基づいて説明する。
［第１実施例］
図１は本発明の第１実施例を示す数値表示装置の構成図である。
１は数値表示器であり、２は１を構成する表示部のひとつで一桁の数字表示が可能である。３、４はそれぞれ操作キーとなる左キー、右キーである。８は表示処理部である。
本発明の特徴は以下のとおりである。
すなわち、記憶手段（不図示）により記憶させた数値を読み出して表示の制御を行う表示処理部８と、該表示処理部８からの情報を表示する数値表示器１と、該数値表示器１の表示を手動操作により切り替える操作キーと、を備えた数値表示装置において、該表示処理部８は、記憶手段（不図示）により記憶させた数値を読み出して表示させる操作を実行した場合に、数値表示器１の表示可能桁数に対して、表示すべき数値の桁数が大きければ、該表示すべき数値のどの部分が表示されているかがわかるように、数値を予め設定された桁数に分割し、その一部を表示するように制御する構成にしたものである。
また、操作キーは左キー３および右キー４で構成されており、表示処理部８は、数値を予め設定された分割桁数ごとに表示位置を制御するのに必要な表示部変数Ｐを設定すると共に、操作キーを押し下げするごとに該表示部変数Ｐに基づき、数値の桁部分を切り替えるようにした手段を有するものとなっている。
また、表示処理部８は、左キー３を押したときに表示部変数Ｐをインクリメントする手段（後述の図２におけるＳ１００、Ｓ１１０に相当）と、右キー４を押したときに表示部変数Ｐをデクリメントする手段（後述の図２におけるＳ２００、Ｓ２１０に相当）と、表示部変数Ｐの値によって表示対象の部分を切り替えて表示する手段（後述の図２におけるＳ３００、Ｓ４１０、Ｓ４２０、Ｓ４３０に相当）と、を備えたものとなっている。以下に図２を用いて詳述する。
図２は表示処理のフローチャートである。
表示部変数Ｐは値として０、１、２をとり、それぞれの値の時、下位４桁、中位４桁、上位２桁を表示する。ステップ毎の説明は以下のようになる。
Ｓ１００：  左キーが押下された場合、Ｓ１１０に進む。押下されていない場合Ｓ２００に進む。
Ｓ１１０：  Ｐが２未満ならＰに１を加える。Ｐが２ならそのままとする。
Ｓ２００：  右キーが押下された場合、Ｓ２１０に進む。押下されていない場合Ｓ３００に進む。
Ｓ２１０：  Ｐが０より大きいならＰから１を減じる。Ｐが０ならそのままとする。
Ｓ３００：  Ｐは０、１、２のいずれかである。０の時、Ｓ４１０に、１の時、Ｓ４２０に、２の時、Ｓ４３０に進む。
Ｓ４１０：  下位４桁を表示する。
Ｓ４２０：  中位４桁を表示する。
Ｓ４３０：  上位２桁を表示する。
図３は１０進数１０桁の数値１２３４５６７８９０の下位４桁を表示した場合の例である。５、６、７は数値のどの部分を表示しているかを示すインジケータである。下位４桁を表示している時には、５のみが点滅しており、６および７は点灯である。図では破線が点滅であることを示し、実線は点灯であることを示す。また５、６、７は合わせて、現在、数値の一部を表示していることも示している。３を押すことにより表示は中位４桁表示へと切り替わる。
図４は数値１２３４５６７８９０の中位４桁を表示した場合の例である。６のみが点滅しており、５および７は点灯である。さらに３を押すことにより表示は上位２桁表示へと切り替わる。
図５は数値１２３４５６７８９０の上位２桁を表示した場合の例である。７のみが点滅しており、５および６は点灯である。ここで、４を押せば、表示は図４になり、もう一度４を押せば、表示は図３になる。
第１実施例は上記構成にしたので、数値表示器の桁数よりも大きな桁数を持つ数値の一部を表示し、それを切り換えることによって、表示の底を変更する必要がないので、操作者にとって理解しにくいこともなく、操作感を著しく損なうことがない。
なお、第１実施例では数値を３分割したが、数値の桁数と表示可能桁数により、３分割に限らず、任意の分割を行なってもよい。また、数値のどの部分を表示しているかを示すインジケータは第１実施例では３本のバーであったが、これも表示形式は任意であり、例えば丸や点でもかまわない。
［第２実施例］
次に第２実施例について説明する。
左キーしかない場合の数値表示装置の構成図と処理のフローチャートをそれぞれ図６、図７に示す。
第２実施例が第１実施例と異なる点は、操作キーは一方の左キー３のみで構成されており、表示処理部８は、左キー８を押したときに表示部変数Ｐを予め設定された最大値に至るまでインクリメントし、最大値の次に０へと変化させる手段（後述の図７におけるＳ１００、Ｓ１１０に相当）と、表示部変数Ｐの値によって表示対象の部分を切り替えて表示する手段（後述の図７におけるＳ２００、Ｓ３１０．Ｓ３２０．Ｓ３３０に相当）を備えた点である。
図７について説明する。変数Ｐは値として０、１、２をとり、それぞれの値の時、下位４桁、中位４桁、上位２桁を表示する。ステップ毎の説明を行なうと以下のようになる。
Ｓ１００：  左キーが押下された場合、Ｓ１１０に進む。押下されていない場合Ｓ２００に進む。
Ｓ１１０：  Ｐが２なら、Ｐを０にする。それ以外の場合、Ｐに１を加える。Ｐの値は左キーの押下毎に０→１→２→０と変化する。
Ｓ２００：  Ｐは０、１、２のいずれかである。０の時、Ｓ３１０に、１の時、Ｓ３２０に、２の時、Ｓ３３０に進む。
Ｓ３１０：  下位４桁を表示する。
Ｓ３２０：  中位４桁を表示する。
Ｓ３３０：  上位２桁を表示する。
第２実施例は上記構成にしたので、数値表示器の桁数よりも大きな桁数を持つ数値の一部を表示し、それを切り換えることによって、表示の底を変更する必要がないので、操作者にとって理解しにくいこともなく、操作感を著しく損なうことがない。
なお、上記実施例では操作キーを左キーの場合を例示したが，右キーの場合でも構わない。
［第３実施例］
図８は本発明の第３実施例の構成図である。
１は数値表示器であり、２は１を構成する表示部のひとつで一桁の数字表示が可能である。３は左キー、４は右キーである。９は編集桁変数を設定した表示処理部である。１０、１１はそれぞれ上キー、下キーであり数値編集に使用される。
第３実施例が第１、２実施例と異なる点は、操作キーが左キー３、右キー４のほかに別の上キー１０および下キー１１を備えており、表示処理部９は、表示器で分割桁数ごとに表示される数値の一部を編集するために必要な編集桁変数ｄを設定してあり、上キー１０を押したときに編集桁をインクリメントする手段（後述の図９におけるＳ１００、Ｓ１１０に相当）と、下キー１１を押したときに編集桁をデクリメントする手段（後述の図９におけるＳ２００、Ｓ２１０に相当）と、左キー３を押したときに編集桁変数をインクリメントする手段（後述の図９におけるＳ３００、Ｓ３１０に相当）と、右キー４を押したときに編集桁変数ｄをデクリメントする手段（後述の図９におけるＳ４００、Ｓ４１０に相当）と、編集桁変数ｄの値によって表示部変数Ｐの値を決定する手段（後述の図９におけるＳ５００に相当）と、表示部変数Ｐの値によって表示対象の部分を切り替えて表示すると共に、該当の編集桁を明示する手段（後述の図９におけるＳ６００、Ｓ６１０．Ｓ６２０．Ｓ６３０に相当）と、を備えたものである。
図９は表示編集処理のフローチャートである。本例では編集桁変数ｄによって数値のどの桁を編集するかを決定するようになっており、その桁により表示する部分が決定される。
編集桁変数ｄは数値の編集桁位置であり、数値が１０桁であれば、０〜９の値をとる。ｄの値により表示される部分が決定される。ステップ毎の説明は以下のようになる。
Ｓ１００：  上キーが押下された場合、Ｓ１１０に進む。押下されていない場合Ｓ２００に進む。
Ｓ１１０：  桁ｄの数字をインクリメントする。
Ｓ２００：  下キーが押下された場合、Ｓ２１０に進む。押下されていない場合Ｓ３００に進む。
Ｓ２１０：  桁ｄの数字をデクリメントする。
Ｓ３００：  左キーが押下された場合、Ｓ３１０に進む。押下されていない場合Ｓ４００に進む。
Ｓ３１０：  ｄが９未満ならｄに１を加える。ｄが９ならそのままとする。
Ｓ４００：  右キーが押下された場合、Ｓ４１０に進む。押下されていない場合Ｓ５００に進む。
Ｓ４１０：  ｄが０より大きいならｄから１を減じる。ｄが０ならそのままとする。
Ｓ５００：  ｄ  ＜  ４ならばＰを０に、４  ＜＝  ｄ  ＜  ８ならばＰを１に、８  ＜＝  ｄならばＰを２にする。
Ｓ６００：  Ｐは０、１、２のいずれかである。０の時Ｓ６１０に、１の時Ｓ６２０に、２の時Ｓ６３０に進む。
Ｓ６１０：  下位４桁を表示する。表示桁ｄを点滅させる。
Ｓ６２０：  中位４桁を表示する。表示桁（ｄ−４）を点滅させる。
Ｓ６３０：  上位２桁を表示する。表示桁（ｄ−８）を点滅させる。
図１０は１０進数１０桁の数値１２３４５６７８９０で編集桁が２の場合の表示例である。下位４桁が表示されている。５、６、７は数値のどの部分を表示しているかを示すインジケータであり、表示の意味は図３と同様である。１２は編集桁であり点滅している。１０を押せば編集桁の数字が増え、１１を押せば減少する。４を押せば編集桁は右へ移動する。３を押せば編集桁は左へ移動する。３を押していき編集桁が３を越えると表示は中位４桁表示へと切り替わる。
第３実施例は上記構成にしたので、数値表示器の桁数よりも大きな桁数を持つ数値の一部を表示し、それを切り換えることによって、表示の底を変更する必要がないので、操作者にとって理解しにくいこともなく、操作感を著しく損なうことがない。
［第４実施例］
図１１は本発明の第４実施例の構成図である。
１は数値表示器であり、２は１を構成する表示部のひとつで一桁の数字表示が可能である。３は左キーである。右キーはない。９は編集桁変数を設定した表示処理部である。１０、１１はそれぞれ上キー、下キーであり数値編集に使用される。
第４実施例が第１、２、３実施例と異なる点は、操作キーは一方の左キー３と、別の上キー１０および下キー１１を備えており、表示処理部８は、数値表示器１で分割桁数ごとに表示される数値の一部を編集するために必要な編集桁変数ｄを設定してあり、上キー１０を押したときに編集桁をインクリメントする手段（後述の図１２におけるＳ１００。Ｓ１１０に相当）と、下キー１１を押したときに編集桁をデクリメントする手段（後述の図１２におけるＳ２００、Ｓ２１０に相当）と、左キー３を押したときに編集桁変数ｄを最上位桁に至るまでインクリメントし、最上位桁の次は０へと変化させる手段（後述の図１２におけるＳ３００、Ｓ３１０に相当）と、編集桁変数の値によって表示部変数Ｐの値を決定する手段（後述の図１２におけるＳ４００に相当）と、表示部変数Ｐの値によって表示対象の部分を切り替えて表示すると共に，該当の編集桁を明示する手段（後述の図１２におけるＳ５００、Ｓ５１０、Ｓ５２０、Ｓ５３０に相当）と、を備えた点である。
図１２は表示編集処理のフローチャートである。本例では編集桁変数ｄによって数値のどの桁を編集するかを決定するようになっており、その桁により表示する部分が決定される。
編集桁変数ｄは数値の編集桁位置であり、数値が１０桁であれば、０〜９の値をとる。ｄの値により表示される部分が決定される。ステップ毎の説明は以下のようになる。
Ｓ１００：  上キーが押下された場合、Ｓ１１０に進む。押下されていない場合Ｓ２００に進む。
Ｓ１１０：  桁ｄの数字をインクリメントする。
Ｓ２００：  下キーが押下された場合、Ｓ２１０に進む。押下されていない場合Ｓ３００に進む。
Ｓ２１０：  桁ｄの数字をデクリメントする。
Ｓ３００：  左キーが押下された場合、Ｓ３１０に進む。押下されていない場合Ｓ４００に進む。
Ｓ３１０：  ｄが９なら、ｄを０にする。それ以外の場合、ｄに１を加える。ｄの値は左キーの押下毎に０→１→２→．．．．→８→９→０と変化する。
Ｓ４００：  ｄ  ＜  ４ならばＰを０に、４  ＜＝  ｄ  ＜  ８ならばＰを１に、８  ＜＝  ｄならばＰを２にする。
Ｓ５００：  Ｐは０、１、２のいずれかである。０の時Ｓ５１０に、１の時Ｓ５２０に、２の時Ｓ５３０に進む。
Ｓ５１０：  下位４桁を表示する。表示桁ｄを点滅させる。
Ｓ５２０：  中位４桁を表示する。表示桁（ｄ−４）を点滅させる。
Ｓ５３０：  上位２桁を表示する。表示桁（ｄ−８）を点滅させる。
第４実施例は上記構成にしたので、数値表示器の桁数よりも大きな桁数を持つ数値の一部を表示し、それを切り換えることによって、表示の底を変更する必要がないので、操作者にとって理解しにくいこともなく、操作感を著しく損なうことがない。
なお、上記実施例では操作キーを左キーの場合を例示したが，右キーの場合でも構わない。
また、第３実施例、第４実施例ともに、第１実施例と同様、数値の分割は３分割に限らない。また、数値のどの部分を表示しているかを示すインジケータも３本のバーに限らない。さらに編集桁を示す方法は点滅に限らず、例えば下線等でもよい。
【産業上の利用可能性】  以上のように本発明は、ドライブ制御装置において数値を表示する方式として有用である。
【図１】
2004095405.tif 000003
【図２】
2004095405.tif 000004
【図３】
2004095405.tif 000005
【図４】
2004095405.tif 000006
【図５】
2004095405.tif 000007
【図６】
2004095405.tif 000008
【図７】
2004095405.tif 000009
【図８】
2004095405.tif 000010
【図９】
2004095405.tif 000011
【図１０】
2004095405.tif 000012
【図１１】
2004095405.tif 000013
【図１２】
2004095405.tif 000014
【国際調査報告】
2004095405.tif 000015
2004095405.tif 000016
2004095405.tif 000017
2004095405.tif 000018